(57)【要約】      （修正有）【課題】アウトドアー、或いは、屋内で使用する日常的に携帯可能な、操作が容易で軽量小型エアー折り畳み式椅子の提供。【解決手段】本体底部にキャップ式エアー給排手段７を設けた胴部横ジャバラ状の各襞の央部周状に山型の中襞５Ａを配して外径と内径差の各襞巾を大に、かつ、胴部蛇腹５各段のピッチを大として段数を少なく、かつ、拡張時の座面高さを高く、かつ、折り畳み時の厚さを小さくし、かつ、上部座面３Ａと下部底板４Ａの側部上下間に、交差する２本の伸縮可能な交差ステー１１Ａ、又は、後方傾斜ステー１３Ｂを配して座時の前後方向の転倒抑止手段１１を講じて同時折り畳み収納可能に形成している。或いは、本体を双胴式に形成出来る。【選択図】図１
2016086992.tif 000002
【特許請求の範囲】
【請求項１】
屋内外任意休息用の携帯用椅子に関するもので、該可撓性樹脂からなる所定高の内部エアー箱型式本体に於ける上下拡縮手段形成のため、上部の平面形状ほぼ長方形の座時臀部接面（以下座面と言う）に、若しくは、下部底板に密開封可能なキャップ式エアー給排手段を配し、かつ、前記上下面によって挟接される中間胴部を水平方向断面ほぼ楕円形の中空箱型周囲多段の横蛇腹状に設け、かつ、該横蛇腹形成の各襞面の央部周状に山型状の折れ目（以下中襞と言う）を設けて広襞巾化可能に形成するものとし、本体上下垂直方向拡縮時、該中襞の山型形状可変可能に設けて胴部蛇腹間隔広大設定可能に設けて、胴部蛇腹段数及び同圧縮時の全厚低減化可能に構成されたエアー給排折り畳み式携帯用椅子。
【請求項２】
前記、中間中空横蛇腹状胴部を中襞式、若しくは、平面襞（以下平襞とも言う）状に設けた本体の底部、又は、座面にエアー給排手段を配した折り畳み式携帯用椅子に於いて、本体座面と底板の、座時左右となる両側部上下間に、交差する長さ可変可能な分割嵌合スライド式のステー(以下交差ステーと言う)を配し、かつ、該交差部相互に長穴を配してピン着脱式の可変固定可能に設け、かつ、上下端部を半回転可能に固定して、座時、本体の後方転倒抑止可能に形成、かつ、本体縮小時、前記ステー同時縮小収納可能に構成された請求項１記載のエアー給排折り畳み式携帯用椅子。
【請求項３】
前記、中間中空横蛇腹状胴部を中襞、若しくは、平襞状に設け、かつ、本体底部、又は、座面にエアー給排手段を配した折り畳み式携帯用椅子に於いて、座時、該底部接地面積を後方拡大可能に形成のため、底板裏面の、側部過半位置から前方３周辺に収納されるコの字状に設けた下部後方半回転式の延長接地枠(以下拡張枠とも言う)、又は、同後方スライド引き出し式の拡張枠を配し、かつ、該拡張枠延長左右先端部と前記座面左右側部中間所定位置上下間に、傾斜角度を有する鋼製、又は、剛性の中間部屈曲可能な支持脚(以下傾斜ステーと言う)を、各上下端部回転可能に装着形成し、前記本体及び傾斜ステー同時縮小収納可能に構成された請求項１、及び、２記載のエアー給排折り畳み式携帯用椅子。  
【請求項４】
前記、本体の中間中空横蛇腹状胴部を中襞、若しくは、平襞状に設け、かつ、底部にエアー給排手段を配した折り畳み式携帯用椅子に於いて、該本体を所定中空大の2基に設けて座時の左右、又は、前後方向に並列配置して双胴式本体胴部を形成、かつ、該双胴式本体の座面と底板を一体成型可能に形成し、かつ、該底板ほぼ央部に指差し込み穴（以下指穴と言う)を配して本体拡縮及び給排同時操作可能に構成された請求項１、及び、２記載のエアー給排折り畳み式携帯用椅子。                                    
【発明の詳細な説明】
【技術分野】
【０００１】
エアー給排折り畳み式携帯用椅子の座高を大に、縮小厚を小とする拡縮手段に関する。
【背景技術】
【０００２】
携帯用の小型椅子は操作が簡易で着地安定性を有し、かつ、軽量で手提げバッグ内等に収納出来ることが要求されて、従来、パイプキャンバス式、又は、面板折り畳み式、或いは、インフレート式等さまざまな形態の椅子があるがいずれも満足出来るものが無かった。かつ、一部、ジャバラエアー式の考案もあるが本体適正座高形成のためには胴部蛇腹成型を所定の多段数に設けざるを得なかった。かつ、座時の後方転倒防止対策に課題があった。
【先行技術文献】
【特許文献】
【０００３】
【特許文献１】特開２０１４−０９１０２８号公報
【発明の概要】
【発明が解決しようとする課題】
【０００４】
本発明は上記課題に着目して案出されたもので、所定の体荷重支持可能な、かつ、必要な座面積、及び、座りと立ち上がりが容易な座高を有して安定性のある、かつ、軽量で、コンパクトで、かつ、操作も容易な日常的に携帯可能な折り畳み式携帯用椅子の提供を目的とする。
【課題を解決するための手段】
【０００５】
本発明は上記課題を達成するため、可撓性樹脂材を用いてブロー成型によって座面及び底板を平面形状ほぼ角型に設け、中間胴部を水平断面ほぼ楕円形の横蛇腹状多段式の中空箱型に形成する時、この本体胴部の蛇腹状の上下拡縮可動各襞面の央部周状に山型状の頭部形状可変可能な中襞を配して各襞巾を広く設け、かつ、蛇腹間隔を広く設けることを可能に形成し、上下拡縮時、内外径不変で中襞の頭部が可変することによって蛇腹の段数を少なくして座高を高く、かつ、圧縮時の厚を減少可能に形成することが出来る。
この様に形成の本体を初期成型時、胴部最大拡張時の姿で成型し、使用時、折り畳まれた圧縮保管状態からの拡張は、底部に配したキャップ式吸排出口でキャップを回転してエアーを自動吸引して口で吹いて膨らませることなく拡張し、かつ、キャップをほぼ半回転閉めるだけで内部圧保持可能に、かつ、本体圧縮縮小時には、ジャバラ胴部の内径、外径が同一径のまま各襞面央部の山型形状の中襞が整然と垂直方向に可動して胴部の上下拡縮を可能にし、キャップを閉めるだけで内部負圧を保持して縮小姿を維持出来る。従って、本体座面及び底板を、例えば、巾１６〜１７ＣＭ，長さ２２〜２３ＣＭに設けて高さを拡大時２２〜２４ＣＭの蛇腹をほぼ１０段に減少可能に設け、折り畳み時の厚みが３、０〜４、０ＣＭ大に縮小可能に形成することが出来る。
このように形成の本折り畳み椅子は前記エアー給排手段を、例えば、底板底面中央通過の長手方向に所定巾の凹状のなだらかな溝部を設けて、この凹状溝部中央に外部突起する所定高の筒状の外ネジ式の口部をキャップ付きに設けて、かつ、この筒部付け根部に通気孔、及び、同外部にＯリング等の弾性ガスケットを配してキャップの縁部が回転操作でOリングに接触離可能に形成して内部正負圧気密保持及び排出可能に、かつ、キャップ頭部が底面周辺部と面一以下に収まるように形成することが出来る。従って、前記中襞を設けて形成の本蛇腹式エアー給排折り畳み式椅子は、蛇腹段数の減を図ると同時に座高の確保を図って、従来製法では５，０乃至６、０ＣＭとなる折り畳み厚を大幅縮小化可能にすることが出来る。なお、エアー給排口はこれを上部座面に設けることも出来る。
この様に形成された本携帯用椅子は、キャップを口部から取り外すことなく両手を本体座面と底板のキャップに添えたままの僅かな操作で密開封して耐荷重性を有する軽量、かつ、小型のため、日常の集会やイベントの他、散歩や旅行時の任意の休息用にも役立つもので、かつ、室内の畳や座布団上の和式行事の使用にも適するものである。もとより、本小型折り畳み椅子は、バッグ内に収納の他、これを化粧袋を併用して日常的に携帯して使
用することも出来る。
【０００６】
又、請求項２の如く、中空箱型横蛇腹状の上下拡縮可能な胴部内圧保持可能に設けて、かつ、胴部を中襞、又は、平襞状に形成の携帯用椅子を、座時の後方転倒抑止を図るために本体左右の座面と底板の側部上下間に、交差する伸縮ステーを、双方２分割の、例えば、上部を平角パイプ、下部に平角パイプ又は波板等を用いて差し込み式のスライド伸縮可能に設けて交差配置し、かつ、このステーの交差部に長穴を設けて着脱式の差し込みピンを用いてルーズに固定し、かつ、上下両端部を座面のフランジ面に半回転可能に固定して前後方向の揺れ抑止可能な手段を講じて座り心地と安定性良好な折り畳み椅子を提供出来る。
この様に形成された本発明の蛇腹式携帯用椅子は、前記交差部の長穴は座時の体荷重を本体側と可変調整可能に固定形成して交差ステーへの負担軽減を図ることが出来、収納時は、差し込みピンを抜いて、ステーとも折り畳み収納可能に形成出来る。
【０００７】
また、本発明の携帯用椅子は請求項３の如く、前記中空箱型横蛇腹状胴部を中襞、又は、平襞状に設けて上下拡縮可能に設け、かつ、底部にキャップ式エアー給排手段を配した本体の底板裏面の前方と両側過半の３周辺に、コの字状に設けた回転式の鋼、又は、剛製の拡大接地ステーを端部を基軸として底板側部に回転可能に配して本体拡大座時、底面後方拡大可能に形成し、、かつ、この拡大ステー先端の両側部と上部座面左右両側部所定位置間に傾斜角を有する鋼、又は、剛性の傾斜ステーを中間点屈曲可能に設けて半回転可能に装着して形成、かつ、折り畳み時、本体と同時収納可能に形成することが出来る。    
この様に形成された本発明の蛇腹式携帯用椅子は、本体胴部が初期、最大拡張姿で成型されて、かつ、拡大して装着された接地ステーを、収納時、キャップを緩めて本体を若干圧縮しながら下方に半回転して底板裏面前方に半回転して納めながらエアーを排出して本体を圧縮させてキャップを密閉して同時折り畳み収納して、使用時、キャップを緩めて口部から内部にエアーを吸引して傾斜ステーを伸ばしながら接地枠を同時半回転して底板裏面後方に拡大した状態でキャップを閉めて内圧保持可能に設けて補助供用することが出来る。前記接地ステーはこれを水平スライド式に設けることも出来る。
【０００８】
また、本発明の携帯用椅子は請求項４の如く、前記中空箱型横蛇腹状胴部を中襞、又は、平襞式に設けて上下拡縮可能に形成して底部にキャップ式エアー給排手段を配した本体を、座時の左右、若しくは、前後方に並列配置の双胴式に設け、かつ、この両者の座面、及び、底板を一体に連結形成して拡大座時の安定性向上可能に、かつ、この胴部双胴式で一体の底板のほぼ央部に所定大の指穴を配して形成し、エアー双胴式台座の拡縮、及び、エアー給排操作を同時、かつ、容易たらしめることを可能にしている。従って、本台座のエアー給排操作は、例えば、右片手で本体底板を保持した状態で、指を指穴に差し込んで両手で胴部拡縮の調整を図り、かつ、その状態で右手の指でキャップ開閉回転を行って内部エアーの密開封を容易に行うことが出来る。
【発明の効果】
【０００９】
本発明の携帯用折り畳み椅子は、可撓性樹脂を用いたブロー成型による中空箱型エアー式横蛇腹状本体の複数の各襞面の中間部周状に、山型状の可変可能な中襞を配して形成することにより、胴部上下拡縮時の各襞の外径と内径が定型垂直移動する時、各襞面の山型状の中襞が無理なく整然と形状変化して折り畳まれるため、胴部の蛇腹間隔を大にして段数を少なくし、本体座高を大に、かつ、縮小厚を小に形成出来る。
かつ、本体側部の上下間に交差する伸縮可能な交差ステーを、或いは、底部の後方に拡大する接地枠と屈曲可能な傾斜ステーを配して座時の転倒防止を図り、かつ、同時縮小収納可能に形成している。或いは、本体を双胴式に設けて座時の安定を図ることが出来る。
【発明を実施するための最良の形態】
【００１０】
以下、本発明の形態を図１〜図５によって説明する。
【実施例１】
【００１１】
本発明の携帯用折り畳み椅子１Ａを図１〜図２で示すと、携帯用椅子の単体式本体２Ａを所定の可撓性樹脂材（図示しない）を用いた座面３Ａ及び底板４Ａを平面形状ほぼ長方形に設けて中間胴部５を水平方向断面ほぼ楕円形の横襞蛇腹状の中空箱型にブロー成型し、かつ、この胴部の蛇腹状の各襞を、外径Ａと内径Ｂ間の各傾斜面の央部を山型の中襞５A付きの周状に設けて面央が上下可変可能に形成し、本体初期成型時、胴部が上方向最大拡張時の姿に設けて成型することによってキャップ６解放時、エアーを自動吸入拡大可能に形成し、かつ、キャップ６を閉めて密封するだけで内部圧保持可能な中空エアー式本体２Ａを形成、かつ、折り畳み時、キャップ６を緩めて両手で上下を圧縮する際、本体蛇腹の外径Ａと内径Ｂが夫々同一径のまま垂直移動して多段の複数の山型の中襞５Ａが変形して蛇腹胴部が整然と重ね折りされて縮小可能に形成出来る。
従って、この様に形成されたエアー給排手段７を有する本蛇腹式椅子１Ａは、前記中襞５Ａを設けて外径Ａと内径Ｂ間の傾斜襞巾を大にし、かつ、蛇腹胴部５の各襞間隔を大に設けて少ない段数で拡大時の座面３Ａ高さを大とすると同時に折り畳み後縮小厚の減少可能な軽量折り畳み椅子１Ａを形成可能としている。
かつ、本発明の折り畳み椅子１Ａはエアー給排手段７を、例えば、図２の如く底板底面中央通過の長手方向に所定巾のなだらかな凹状の溝部Ｃを設けて、この凹状溝の中央に所定高の外部突起する筒状の外ネジ式の口部８を配してキャップ６付きに形成、かつ、この筒状口部８に通気孔９、及び、付け根部外部にＯリング等の弾性ガスケット１０を配してキャップ６の縁部が回転操作でOリングに接触離可能に形成して内部空気圧気密保持及び排出可能に、かつ、キャップ６頭部が底面４Ａ周辺部と面一以下に収まるように形成している。然るに、本体の座面３Ａ及び底板４Ａを、例えば、巾１５〜１６ＣＭ，長さが２２〜２４ＣＭの長方形に設け、本体高さを拡大時２０〜２３ＣＭに、かつ、折り畳み時の厚みがほぼ３、０〜４、０ＣＭ大に縮小可能に形成することが出来る。なお、図示しないが前記エアー給排手段７はこれを上部座面に設けることも出来る。
従って、本携帯用椅子は、日常の集会やイベントの他、散歩や旅行時の任意の休息用にも役立つものである。
【実施例２】
【００１２】
また、本発明の前後方向のステー交差式転倒防止手段１１を備えた携帯用折り畳み椅子１Ｂを図１〜図２で示すと、蛇腹状胴部５形状を中襞５Ａ付き、又は、平襞５Ｂに設けて形成の本体座面３Ａと底板４Ａ間の左右側部に、例えば、鋼製、若しくは、樹脂製の２分割の、上部を平角パイプ１１Ａ、下部を波板１１Ｂ等の差し込み嵌合スライド式の伸縮可能に設け、かつ、伸長時の交差部に長穴Ｄを設け、着脱可能な差し込みピン１２を用いてルーズに装着して上下端部１１ａ、１１ｂを座面３Ａに半回転可能に固定装着して座時の体荷重に順応の座面高さ設定可能な交差式転倒抑止手段１１を講じて前後方向の揺れ防止可能に形成し、かつ、更に、前記交差ステーの上部端部を、座面フランジ３ａに所定の横長穴３ｂを設けて装着してステー１１Ａ，１１Ｂの荷重負担軽減を図ることが出来る。従って、この様に形成の本エアー給排式の交差ステー式転倒抑止手段１１を備えた折り畳み台座１Ｂは、本体胴部２Ａの垂直折り畳み縮小時、傾斜ステー１１Ａ，１１Ｂと同時縮小収納可能に形成することが出来る。なお、本体２Ａ縮小時には着脱ピン１２は外される。
従って、本交差ステー付き折り畳み椅子１Ｂは、折り畳まれた状態の椅子を使用時に、キャップ６をほぼワンタッチの半回転操作で緩めてエアーが通気孔９から瞬時に吸入されて胴部を成型初期形状に自動復元して拡大後、キャップ６をほぼ半回転で閉めて胴部内圧を保持し、かつ、座面と底板の左右側部に配した交差ステー１１が同時に自動スライド拡張させて交差部の長穴Ｄに着脱ピン１２を用いて調整可能に固定して座り心地と安定性良好な状態で使用出来る。かつ、収納時、左右の交差ステー１１の差し込みピン１２を抜いて、再び、キャップ６を半回転操作で通気孔９を開口して胴部上下を圧縮してエアーを排出し、即、キャップを閉めて内部を負圧圧縮状態に維持し、かつ、ステー１１Ａ，１１Ｂ
共々折り畳み収納可能に形成出来る。従って、キャップ６を口部から取り外すことなく両手を本体２の座面３Ａとキャップ６に添えたままの僅かな操作で密開封して耐荷重性を有し、かつ、安定性に優れた椅子が形成される。
【実施例３】
【００１３】
また、本発明の回転ステー式携帯用折り畳み椅子１Ｃは図３に示す如く、上部座面３Ａと蛇腹式中間胴部５、及び、エアー給排手段７付きの底板４Ａからなる上下拡縮可能な本体２Ａの底板４Ａ裏面に、座位前方ト側部過半の３周辺にコの字状に設けた鋼、又は、剛製の底面後方拡大可能な接地回転ステー式転倒抑止手段１３を底板側部中間に回転基軸Ｅを配して接地枠基部１３ｂを底部半回転可能に配して前方３周辺収納可能に形成し、かつ、この回転接地枠１３Ａの拡大先端部と上部座面フランジ３ａの左右両側部の中間所定位置の上下間に傾斜角θを有する屈曲式の傾斜ステー１３Ｂを接地枠１３Ａ拡大部位置に組み合わせて上下端部１３ａを上部座面３ａ所定位置に回転可能に固定形成することが出来る。
この様に形成された本発明の蛇腹式携帯用椅子１Ｃは、本体胴部初期成型時、最大拡張姿で成型されて、かつ、底板４Ａ裏面の前方に装着された接地枠１３Ａを中間回転基軸Ｅで回転して拡大し、かつ、傾斜ステー１３Ｂを伸長した状態でキャップ６を密閉して耐圧供用を可能とし、収納時は、キャップを緩めて内部のエアーを押排出しながら、かつ、傾斜ステー１３Ｂを屈曲させ、接地枠１３Ａを底板裏面で下方に半回転して裏面前方に収納し、座面３Ａと底板４Ａを押圧縮した状態でキャップを閉めて折り畳み収納することが出来る。尚、図示しないが、前記拡大接地ステー１３Ａは、これを前記傾斜ステー１３Ｂと組み合わせて底板裏面スライド引き出し式に形成することも出来る。
【実施例４】
【００１４】
また、本発明の中間胴部が蛇腹式のエアー給排手段７付き携帯用折り畳み椅子１Dは図４〜図５に示す如く、前記中空箱型横蛇腹状胴部５を中襞５Ａ，又は、平面襞５Ｂ式に設けて上下拡縮可能に形成して底部にキャップ式エアー給排手段７を配した式双胴本体２Ｂを座時の左右、若しくは、前後方向に並列配置し、かつ、この両者の座面３Ｂ、及び、底板４Ｂを双胴一体に連結形成して座時の安定性向上可能に、かつ、この胴部双胴式の一体に設けた底板のほぼ央部に所定大の指穴１４を配してエアー給排操作を容易たらしめる双胴式台座１Ｄを形成出来る。本台座１Ｄは、エアー給排操作時、例えば、右手の指を指穴１５に差し込んで、同時に底板４Ｂを保持した状態で、左手で本体座面３Ｂを持って胴部拡縮の調整を図り、かつ、その状態で右手他指先で双胴のキャップ６の開閉回転を順次行って内部エアーの密開封を容易に行うことが出来る。
従って、このように形成のエアー給排手段７付き携帯用折り畳み椅子１Ｄは、本体を双胴式２Ｂに設けて内部圧の流動性を単位拘束してステー無しで座時の安定性を図り、本体の簡素化とコストダウンンと耐荷重性の向上を図ることが出来る。
【図面の簡単な説明】
【００１５】
【図１】本発明のエアー給排蛇腹中襞付き折り畳み式椅子１Ａを示す拡張時の斜視図で、かつ、図１Ｂの転倒防止用交差ステーを装着した様子を示す図。
【図２】同上椅子１Ａ，及び、１Ｂの正面断面図で、片側に胴部縮小の様子を断面で示し、かつ、底部の凹椀状の溝に配したエアー給排装置の部分組み立て構成図。
【図３】本発明の回転式接地ステー装着の蛇腹折り畳み式椅子の正面図で片側が拡張時、片側に縮小時の様子を断面で示す。
【図４】本発明の双胴式蛇腹折り畳み椅子の正面図で、片側が拡張時、片側が縮小時の様子を断面図で示す。
【図５】同上双胴式蛇腹折り畳み椅子の裏面平面図。
【符号の説明】
【００１６】
１Ａ  携帯用折り畳み椅子      １Ｂ  交差ステー式携帯用折り畳み椅子
１Ｃ回転ステー式携帯用折り畳み椅子      １Ｄ  双胴式蛇腹携帯用椅子        
２Ａ  単体式本体    ２Ｂ  双胴式本体  ３Ａ単体式座面      ３Ｂ  双胴式座面
３ａ  同フランジ    ３ｂ  横長穴    ４Ａ  単体式底板    ４Ｂ  双胴式底板
５  蛇腹状の胴部    ５Ａ  中襞        ５Ｂ  平面襞      ６  キャップ    
７  エアー給排手段    ８  口部      ９  通気口    １０  弾性ガスケット
１１  交差ステー式転倒抑止手段    １１Ａ平角パイプ    １１ａ  上部端部  
１１Ｂ  波板    １１ｂ下部端部    １２  着脱ピン  １３回転ステー式転倒抑止手段      
１３Ａ  回転接地枠            １３Ｂ  傾斜ステー      １３ａ  ステー上部端部  １３ｂ  同回転基部端部          １４    指穴        
Ａ  外径    Ｂ    内径        Ｃ  溝部      Ｄ長穴      Ｅ  中間回転基軸
傾斜角  θ
【図１】
2016086992.tif 000003
【図２】
2016086992.tif 000004
【図３】
2016086992.tif 000005
【図４】
2016086992.tif 000006
【図５】
2016086992.tif 000007